(57)【特許請求の範囲】
【請求項１】
床面に対して水平スリットを介して水平方向に相対変位可能に接合された高剛性の壁面に開口部を設け、該開口部の内側に建具枠を配置して該建具枠の底部を前記床面に対して水平変位不能に固定するとともに、該建具枠の両側部および上部の三方向の周囲と前記開口部との間に確保したクリアランス内にモルタル等の硬化性充填材を充填して前記建具枠を前記壁面に対して固定するようにした壁面への建具枠の設置構造であって、
前記建具枠の両側部の脚部と前記開口部との間には、それら建具枠と壁面との間の水平方向の相対変位を許容可能な柔軟な緩衝材を前記硬化性充填材に代えて充填してなることを特徴とする壁面への建具枠の設置構造。
【請求項２】
請求項１記載の壁面への建具枠の設置構造であって、
前記緩衝材はロックウールであることを特徴とする壁面への建具枠の設置構造。
【発明の詳細な説明】
【技術分野】
【０００１】
本発明は建物の内装工事に関連し、特に鉄筋コンクリート壁等の高剛性の壁面に対してドア枠や窓枠等の建具枠を設置するための構造に関する。
【背景技術】
【０００２】
周知のように、鉄筋コンクリート造の建物の施工に際して壁面にドアや窓等の開口部を設ける場合には、壁面を施工する際に予め開口部を設けてその内側にドア枠や窓枠等の建具枠を後付けしたうえでそこに扉や窓ガラスを建て込むことが一般的であり、そのような場合において建具枠を開口部の内側に固定するための作業を精度良く効率的に行うためにたとえば特許文献１に示される工法も提案されている。
【先行技術文献】
【特許文献】
【０００３】
【特許文献１】特開２００１−１６４８３４号公報
【発明の概要】
【発明が解決しようとする課題】
【０００４】
ところで、鉄筋コンクリート造（ＰＣａ造を含む）の建物においては地震時の層間変形を考慮して壁面を床面に対して水平方向に相対変位可能（すなわちスウェイ可能）に接合する場合があるが、その場合には壁面に固定した建具枠が地震時に損傷を受けてしまうことがある。
【０００５】
すなわち、たとえば図２（ａ）に示すように、鉄筋コンクリート造の壁面１（ＰＣａ版を含む）を床面２に対して水平スリット３を介して水平方向に相対変位（スウェイ）可能に設置する場合において、その壁面１に掃き出し窓を設ける場合には、壁面１の施工の際に窓枠４よりも大きい開口部５を予め設けたうえでその内側に窓枠４を配置し、窓枠４の周囲全体にモルタル６等の硬化性充填材を充填することによって窓枠４を開口部５の内側に固定することが一般的である。
【０００６】
その場合、地震時に（ｂ）に示すように層間変形が生じて壁面１全体が床面２に対して水平方向に相対変位すると、壁面１に対して固定されている窓枠４も壁面１ととともに水平変位しようとするが、窓枠４の底部は床面２に対して固定されているのでそこでの水平変位は拘束されてしまい、したがって窓枠４全体が平行四辺形となるように変形して特にその脚部（図中に×印で示す部位）に無理な応力が生じてしまい、その結果、窓枠４の底部が座屈したり、開口部５との間に充填されているモルタル６が剥落したり、さらには壁面１の下部が損傷してしまう等の事故が生じる場合がある。
【０００７】
そして、そのような損傷が生じると窓枠４の交換やモルタル６さらには壁面１の補修が必要となって多大の手間と費用を必要とするので、かねてよりそのような事態を防止し得る有効適切な手段の開発が望まれていた。
【課題を解決するための手段】
【０００８】
上記事情に鑑み、請求項１記載の発明は、図１に示すように床面２に対して水平スリット３を介して水平方向に相対変位可能に接合された高剛性の壁面１に開口部５を設け、該開口部５の内側に建具枠（図１では窓枠４）を配置して該建具枠の底部を前記床面２に対して水平変位不能に固定するとともに、該建具枠の両側部および上部の三方向の周囲と前記開口部５との間に確保したクリアランス内にモルタル６等の硬化性充填材を充填して前記建具枠を前記壁面１に対して固定するようにした壁面への建具枠の設置構造であって、前記建具枠の両側部の脚部と前記開口部５との間には、それら建具枠と壁面１との間の水平方向の相対変位を許容可能な柔軟な緩衝材７を前記硬化性充填材に代えて充填してなることを特徴とする。
【０００９】
請求項２記載の発明は、請求項１記載の壁面への建具枠の設置構造であって、前記緩衝材７はロックウールであることを特徴とする。
【発明の効果】
【００１０】
本発明によれば、建具枠の底部は床面２に対して固定され、建具枠の上部は壁面１に対して固定されるが、少なくとも建具枠の両側部の下部と壁面１との間は柔軟な緩衝材７により塞がれるのみとなり、したがって地震時に壁面１が床面２に対して水平方向に相対変位を生じた際にはそれに追随して緩衝材７が自由に変形してそこでの相対変形を支障なく吸収し得るものとなり、以て、従来のようにそこに大きな応力が生じて建具枠が座屈したり、そこに充填されていたモルタル６等の硬化性充填材やさらには壁面１下部が損傷してしまうようなことを未然に防止することが可能である。
【図面の簡単な説明】
【００１１】
【図１】本発明の壁面への建具枠の設置構造の実施形態を示す図である。
【図２】従来一般の壁面への建具枠の設置構造を示す図である。
【発明を実施するための形態】
【００１２】
図１に本発明の実施形態を示す。
これは、図２に示したように鉄筋コンクリート造の建物において床面２に対して水平スリット３を介してスウェイ可能に接合された壁面１に対して掃き出し窓を設置する場合の適用例であって、基本的には図２の場合と同様に壁面１に掃き出し窓用の窓枠４よりも大きい開口部５を設けてその内側に窓枠４を配置し、それら窓枠４と開口部５との間に確保したクリアランス内にモルタル６等の硬化性充填材を充填することによって窓枠４を固定するようにしたものであるが、本実施形態の設置構造が従来の設置構造と異なる点は、従来においては窓枠４の全周にわたってモルタル６を均等に充填していたのに対し、本実施形態では窓枠４の両側部の脚部と開口部５との間（図１（ａ）で鎖線で囲んで示した範囲）にはモルタル６を充填することに代えて柔軟な緩衝材７を充填したことを主眼とする。
【００１３】
その緩衝材７としては、モルタル６と同様にクリアランスを塞ぐ機能を有するものであることに加えて、（ｂ）に示すように壁面１が床面２に対して水平方向に相対変位（スウェイ）を生じた際には自由に変形して窓枠４に対する壁面１の相対変位を拘束することなく許容し、かつ、その際に緩衝材７自体が損傷を受けてしまうことのない程度の柔軟性を有する材料であることが必要であり、その限りにおいて各種の弾性材料や塑性材料が採用可能であるが、特にモルタル６と同様に安価に入手可能であり、現場での取り扱いが容易で施工性に優れ、しかも耐火性能を有する建設資材であるロックウールが好適に採用可能である。
【００１４】
上記の構造によれば、従来と同等に窓枠４の底部はモルタル６を介して床面２に対して固定され、窓枠４の上部も同じくモルタル６を介して壁面１に対して固定されるが、窓枠４の両側部の下部と壁面１との間の隙間は柔軟な緩衝材７により塞がれるのみとなり、したがって地震時に壁面１がスウェイを生じた際にはそれに追随して緩衝材７が自由に変形し、以て、従来のようにそこに大きな応力が生じて窓枠４が座屈したり、従来においてはそこに充填されているモルタル６やさらには壁面１下部が損傷してしまうことを未然に防止することが可能である。
【００１５】
なお、緩衝材７の充填位置は、上記実施形態のように少なくとも変形が顕著に生じる窓枠４の両側部の下部の位置に限定することが現実的であり、通常はそれで十分であるが、必要であればモルタル６（あるいはそれに代わる適宜の硬化性充填材）による窓枠４全体に対する固定強度が損なわれることがない範囲で、より広範囲にわたって緩衝材７を充填することでも良い。
また、クリアランスの寸法（開口部５と窓枠４との間の隙間の大きさ）は従来と同等程度で良いが、少なくともスウェイ時に想定される水平方向の最大相対変位以上としておくことが好ましく、それにより最大相対変位が生じて緩衝材７が最大限に変形した場合においても壁面１が窓枠４に衝突することを確実に防止することができる。
【００１６】
さらに、上記実施形態は鉄筋コンクリート造（ＰＣａ造を含む）の壁面１に対して掃き出し窓用の窓枠４を設置する場合の適用例であるが、本発明は上記実施形態に限定されるものでは勿論なく、各種構造の壁面に対して各種用途の建具枠を同様の条件で設置する場合全般に広く適用できることは当然である。
【符号の説明】
【００１７】
１  壁面
２  床面
３  水平スリット
４  窓枠（建具枠）
５  開口部
６  モルタル（硬化性充填材）
７  緩衝材（ロックウール）
【図１】
0005892322.tif 000002
【図２】
0005892322.tif 000003